(57)【要約】      （修正有）【課題】本考案は、表示パネル及びそれを備えた表示装置を提供する。【解決手段】表示パネルは、第一基板と、第二基板と、この両者の間に配置された表示媒体とを備えている。第一基板は、第一幅Ｗ１を有する第一導電層１１０、及び第二幅Ｗ２を有して当該第一導電層１１０上に配置された第二導電層１２０を有している。第二幅Ｗ２が第一幅Ｗ１より小さくなっているため、第二導電層１２０の両側からには第一導電層１１０の一部が露出されている。第二導電層１２０の第一側辺Ｓ１と当該第一側辺Ｓ１の同側における第一導電層１１０の第二側辺Ｓ２との間には、第一間隔Ｄ１が形成され、第二導電層１２０の第一側辺Ｓ１の反対側にある第三側辺Ｓ３と当該第三側辺Ｓ３の同側における第一導電層１１０の第四側辺Ｓ４との間には、第二間隔Ｄ２が形成され、第一間隔Ｄ１は第二間隔Ｄ２より大きくなっている。【選択図】図２Ｂ
0003194342.tif 000002
【実用新案登録請求の範囲】
【請求項１】
第一導電層及び第二導電層を有する第一基板と、第二基板と、前記第一基板と前記第二基板との間に配置されている表示媒体とを備えた表示パネルであって、
前記第一導電層は、第一幅を有し、
前記第二導電層は、第二幅を有して前記第一導電層上に配置され、
前記第二幅は前記第一幅より小さくなって、前記第一導電層の一部が前記第二導電層の両側から露出されており、
前記第二導電層の第一側辺と、当該第一側辺の同側における第一導電層の第二側辺との間には、第一間隔が形成され、
前記第二導電層の前記第一側辺の反対側にある第三側辺と、当該第三側辺の同側における第一導電層の第四側辺との間には、第二間隔が形成されており、
前記第一間隔は、前記第二間隔より大きくなっている、
ことを特徴とする表示パネル。
【請求項２】
前記第一導電層と前記第二導電層は、接触し重置されて、複合層を有する導電回路を形成している、ことを特徴とする請求項１に記載の表示パネル。
【請求項３】
前記第一基板は、表示領域と、当該表示領域を囲んでいる駆動回路領域とを有しており、
前記第一導電層及び第二導電層は、前記駆動回路領域に位置している、ことを特徴とする請求項１に記載の表示パネル。
【請求項４】
前記第一間隔は、前記導電回路の屈折部（bending portion）の陥凹領域（recess region）に形成され、
前記第二間隔は、前記屈折部の突起領域（protruding region）に形成されている、ことを特徴とする請求項２に記載の表示パネル。
【請求項５】
前記第一間隔は、前記第二間隔の１．１〜３倍である、ことを特徴とする請求項１に記載の表示パネル。
【請求項６】
前記第一基板は、前記第一導電層と前記第二導電層との間に位置する誘電体層をさらに有している、ことを特徴とする請求項１に記載の表示パネル。
【請求項７】
前記第一導電層と前記第二導電層は、材質が同じである、ことを特徴とする請求項１に記載の表示パネル。
【請求項８】
前記第二導電層は、前記第一側辺において延伸部を有している、ことを特徴とする請求項１に記載の表示パネル。
【請求項９】
前記第一間隔は、前記第二幅の約１０〜２０％である、ことを特徴とする請求項１に記載の表示パネル。
【請求項１０】
前記第二間隔は、前記第二幅の約１〜１０％である、ことを特徴とする請求項１に記載の表示パネル。
【請求項１１】
前記第一導電層の前記第二側辺と当該第一導電層の底面との間には、第一交角が形成され、前記第一導電層の前記第四側辺と当該第一導電層の底面との間には、第二交角が形成されており、
前記第一交角は、前記第二交角の１．１〜２倍である、ことを特徴とする請求項１に記載の表示パネル。
【請求項１２】
前記第一導電層の材質と前記第二導電層の材質には、銅、チタンまたは複合導電金属層が単独に含まれている、ことを特徴とする請求項１に記載の表示パネル。
【請求項１３】
前記表示媒体は、液晶層または発光素子である、ことを特徴とする請求項１に記載の表示パネル。
【請求項１４】
表示パネルと、当該表示パネルに電気的に接続している駆動回路とを備えた表示装置であって、
前記表示パネルは、第一導電層及び第二導電層を有する第一基板と、第二基板と、前記第一基板と前記第二基板との間に配置されている表示媒体とを備えており、
前記第一導電層は、第一幅を有し、
前記第二導電層は、第二幅を有して前記第一導電層上に配置され、
前記第二幅は前記第一幅より小さくなって、前記第一導電層の一部が前記第二導電層の両側から露出されており、
前記第二導電層の第一側辺と、当該第一側辺の同側における第一導電層の第二側辺との間には、第一間隔が形成され、
前記第二導電層の前記第一側辺の反対側にある第三側辺と、当該第三側辺の同側における第一導電層の第四側辺との間には、第二間隔が形成されており、
前記第一間隔は、前記第二間隔より大きくなっている、
ことを特徴とする表示装置。
【考案の詳細な説明】
【技術分野】
【０００１】
本考案は、表示パネル及びそれを備えた表示装置に関し、特に、基板上に多層の導電線が設けられた表示パネル及びそれを備えた表示装置に関する。
【背景技術】
【０００２】
大型のフラットパネル・ディスプレイ市場の急速な発展に伴い、その薄膜トランジスタの関連製造工程の改善も急速に進んでいく。その中でも、銅製は、低電気抵抗（アルミニウムの約６０％）であるため、それの小さい断面積により金属線間の寄生容量を減少させて、クロストーク（crosstalk）を低減させることができる。しかも、銅は、高い電子移動抵抗、熱伝導抵抗性を持っているため、小さい断面積であっても依頼性が高い。このため、銅製は、次第にアルミニウム製を置き換えて、現在の主流となっている。
【０００３】
しかしながら、銅には、基板に付着されて外しにくい問題がある。従って、良好な表示品質を確保するとともに、製造工程に存在する難点、問題点を克服しなければならないのが、現在の当分野の課題の一つとなっている。
【考案の概要】
【考案が解決しようとする課題】
【０００４】
以上に鑑みて、本考案は、過度エッチングによる二つの導電層の回路破断、損傷を避けて、抵抗の不整合問題の発生を減少することができる表示パネル、及びそれを備えた表示装置の提供を課題としている。
【課題を解決するための手段】
【０００５】
上記課題を解決するために、本考案による表示パネルは、第一導電層及び第二導電層を有する第一基板と、第二基板と、前記第一基板と前記第二基板との間に配置されている表示媒体とを備えており、前記第一導電層は、第一幅を有し、前記第二導電層は、第二幅を有して前記第一送電層上に配置され、前記第二幅は前記第一幅より小さくなって、前記第一導電層の一部が前記第二導電層の両側から露出されており、前記第二導電層の第一側辺と、当該第一側辺の同側における第一導電層の第二側辺との間には、第一間隔が形成され、前記第二導電層の前記第一側辺の反対側にある第三側辺と、当該第三側辺の同側における第一導電層の第四側辺との間には、第二間隔が形成されており、前記第一間隔は、前記第二間隔より大きくなっている。
【０００６】
また、上記課題を解決するために、本考案による表示装置は、表示パネルと、当該表示パネルに電気的に接続している駆動回路とを備えており、前記表示パネルは、第一導電層及び第二導電層を有する第一基板と、第二基板と、前記第一基板と前記第二基板との間に配置されている表示媒体とを備え、前記第一導電層は、第一幅を有し、前記第二導電層は、第二幅を有して前記第一導電層上に配置され、前記第二幅は前記第一幅より小さくなって、前記第一導電層の一部が前記第二導電層の両側から露出されており、前記第二導電層の第一側辺と、当該第一側辺の同側における第一導電層の第二側辺との間には、第一間隔が形成され、前記第二導電層の前記第一側辺の反対側にある第三側辺と、当該第三側辺の同側における第一導電層の第四側辺との間には、第二間隔が形成されており、  前記第一間隔は、前記第二間隔より大きくなっている。
【考案の効果】
【０００７】
以上のように、本考案によれば、表示パネルにおいて、その基板の第二導電層を第一導電層上に配置し、第一導電層の一部を第二導電層の両側から露出させ、第二導電層の両側と第一導電層の両側との間に、幅が異なる（一方が他方より大きい）二つの間隔を形成することで、過度エッチングによる二つの導電層の回路破断、損傷を避けて、抵抗の不整合問題の発生を減少することができる。
【図面の簡単な説明】
【０００８】
【図１Ａ】本考案の一つの実施形態による表示パネルの構造を示す概略図である。
【図１Ｂ】本考案の一つの実施形態による表示パネルの第一基板の上面構造を示す概略図である。
【図２Ａ】本考案の一つの実施形態による表示パネルの第一基板の局部拡大構造を示す概略上面図である。
【図２Ｂ】図２Ａの断面矢視２Ｂ−２Ｂ’による概略断面図である。
【図３Ａ】導電層のエッチング前後の様子を示す概略図である。
【図３Ｂ】導電層のエッチング前後の様子を示す概略図である。
【図４Ａ】本考案の他の一つの実施形態による表示パネルの基板の局部拡大した構造を示す概略上面図である。
【図４Ｂ】図４Ａの断面矢視４Ｂ−４Ｂ’による概略断面図である。
【図５Ａ】導電層の位置を合わせて偏位した様子を示す概略図である。
【図５Ｂ】導電層の位置を合わせて偏位した様子を示す概略図である。
【図６】本考案の一つの実施形態による表示装置の概略ブロック図である。
【考案を実施するための形態】
【０００９】
以下、図面を参照して、本考案による表示パネル及び表示装置の好ましい実施形態を説明する。ただし、本考案は、以下の実施形態に限定されない。なお、図面において、同じものには同じ符号を付して説明する。また、図面は、単純に本考案の一部実施形態を説明するために簡略化して作成されたものであって、図面中の各構成及び要素などは、ただ一例として例示されたもので、本考案の請求の範囲を限定するものではない。
【００１０】
図１Ａには、本考案の一つの実施形態による表示パネル１０の概略構造が示され、図１Ｂには、表示パネル１０の第一基板１００の概略上面構造が示されている。図２Ａには、第一基板１００の局部を拡大した概略上面構造が示され、図２Ｂには、断面矢視２Ｂ−２Ｂ’による概略断面構造が示されている。
【００１１】
図１Ａに示すように、表示パネル１０は、第一基板１００、表示媒体２００及び第二基板３００を備えている。表示媒体２００は、第一基板１００と第二基板３００との間に配置されている。本実施形態において、表示媒体２００は、液晶層または発光素子であって、例えば有機発光ダイオード（有機ＥＬ）である。この場合、表示パネル１０は、例えば、液晶表示パネルまたは有機ＥＬ表示パネルである。また、図１Ｂに示すように、第一基板１００は、表示領域１０１、当該表示領域１０１を囲んで形成された表示駆動回路領域１０２を有している。
【００１２】
図２Ａ、図２Ｂに示すように、第一基板１００は、第一導電層１１０及び第二導電層１２０を有し、第二導電層１２０は、第一導電層１１０上に配置されている。第一導電層１１０は第一幅Ｗ１を有し、第二導電層１２０は第二幅Ｗ２を有しており、第二幅Ｗ２は第一幅Ｗ１より小さくなっているため、第二導電層１２０の両側からには、第一導電層１１０の一部が露出されている。第二導電層１２０の第一側辺Ｓ１と、第一側辺Ｓ１の同側にある第一導電層１１０の第二側辺Ｓ２との間には、第一間隔Ｄ１が形成され、第二導電層１２０の第一側辺Ｓ１の反対側にある第三側辺Ｓ３と、第三側辺Ｓ３の同側にある第四側辺Ｓ４との間には、第二間隔Ｄ２が形成されており、第一間隔Ｄ１は、第二間隔Ｄ２より大きく形成されている。
【００１３】
図２Ｂに示すように、本実施形態において、第一導電層１１０と第二導電層１２０は、接触した状態で重置されて、複合層を有する導電回路を形成している。この導電回路は、例えば、薄膜トランジスタ基板上のデータ線（data line）または走査線（scan line）である。一例として、第一導電層１１０と第二導電層１２０は、例えば、表示駆動回路領域１０２のゲート駆動回路中またはデータ駆動回路中に位置する。他の一例として、第一導電層１１０と第二導電層１２０は、例えば、表示領域１０１中に位置する。
【００１４】
図２Ａに示すように、第一導電層１１０と第二導電層１２０とが接触重置して形成された導電回路は、屈折部（bending portion）Ｂを有し、第一間隔Ｄ１は、導電回路の屈折部Ｂの陥凹領域（recessregion）Ｒに形成され、第二間隔Ｄ２は、屈折部Ｂの突起領域（protruding region）Ｐに形成されている。
【００１５】
第一導電層１１０の材質と第二導電層１２０の材質には、銅、チタンなどの金属層、またはそれの複合導電金属層が単独に含まれている。本実施形態において、第一導電層１１０の材質はチタンであり、第二導電層１２０の材質は銅である。
【００１６】
図３Ａ及び図３Ｂには、それぞれ異なる形状を有する導電層のエッチング前後の概略様子が示されている。導電層４１０は、エッチング後、導電層４１０’になり、導電層６１０は、過度エッチング後、導電層６１０’になる。図３Ａに示すように、従来の導電層６１０の加工では、フォトマスクの設計時において、すでに所定の導電層パターンを設計しており、そして、エッチング中においては、エッチング液が屈折部Ｂ２の陥凹領域Ｒ２に溜まりやすくなるため、他の回路パターンの部分（例えば、直線の幅）は、完全にエッチングされて、所定パターンを有する導電層を形成する。この場合、導電層６１０の屈折部Ｂ２は、陥凹領域Ｒ２に溜まったエッチング液によって過度エッチングされるが、過度エッチングのため、導電層６１０の回路破断、損傷が発生しやすくなり、導電層６１０’及び損傷された陥凹領域Ｒ２’が形成されて、抵抗の不整合問題が発生される。
一方、図３Ｂに示すように、本実施形態では、フォトマスクの設計時、導電層４１０に対し、屈折部Ｂ１の陥凹領域Ｒ１が大きい面積を有するように設計しておく。従って、導電層４１０の屈折部Ｂ１が、陥凹領域Ｒ１に溜まったエッチング液によって過度エッチングされても、屈折部Ｂ１の陥凹領域Ｒ１の面積が大きいため、上述した過度エッチング問題を避けることができて、導電層４１０’及び所定パターンの陥凹領域Ｒ１’を形成することができる。
【００１７】
これにより、図２Ａ及び図２Ｂに示すように、第一導電層１１０（例えば、チタン製）と第二導電層１２０（例えば、銅製）とが接触重置して、複合層を有する導電回路を形成する。また、第一導電層１１０と第二導電層１２０の材質が異なるため、エッチングによって所定のパターン形成するとき、異なる金属に対するエッチング液のエッチング速度も異なっており（例えば、第一導電層のエッチング速度が第二導電層のエッチング速度より速い）、図２Ａ及び図２Ｂに示すように、第二幅Ｗ２が第一幅Ｗ１より小さくなって、第一導電層１１０の一部が第二導電層１２０の両側に露出した構造が形成される。
なお、図３Ａ及び図３Ｂを参照しながら説明したように、屈折部Ｂの陥凹領域Ｒにはエッチング液が溜まりやすくなるため、図２Ａ及び図２Ｂに示された陥凹領域Ｒに位置する第一導電層１１０は、突起領域Ｐに位置する第一導電層１１０より過度エッチングされやすくなる。これによって、屈折部Ｂの陥凹領域Ｒに形成された第一間隔Ｄ１が、突起領域Ｐに形成された第二間隔Ｄ２より大きくなり、且つ、第一導電層の、屈折部Ｂの陥凹領域Ｒにおける側辺と底面との交角θ１が、屈折部Ｂの突起領域Ｐにおける側辺と底面との交角θ２より大きくなり、第二導電層の、屈折部Ｂの陥凹領域Ｒにおける側辺と底面との交角θ３が、屈折部Ｂの突起領域Ｐにおける側辺と底面との交角θ４より大きくなるようにする。
【００１８】
本実施形態において、第一間隔Ｄ１は、例えば、第二間隔Ｄ２の１．１〜３倍となっている。
【００１９】
一例として、第二導電層１２０の第二幅Ｗ２が４．３４μｍでり、第一間隔Ｄ１が０．６８μｍであり、第二間隔Ｄ２が０．３９μｍであって、第一間隔Ｄ１は第二間隔Ｄ２の１．７４倍となっている。
他の一例として、第二導電層１２０の第二幅Ｗ２が８．８９μｍでり、第一間隔Ｄ１が１．２５μｍであり、第二間隔Ｄ２が０．８７μｍであって、第一間隔Ｄ１は第二間隔Ｄ２の１．４４倍となっている。
【００２０】
また、本実施形態において、第一間隔Ｄ１は、第二導電層１２０の第二幅Ｗ２の約１０〜２０％であり、例えば、１０％であってもよく、９．９５〜１１．０７％であってもよい。第二間隔Ｄ２は、第二導電層１２０の第二幅Ｗ２の約１〜１０％であり、例えば、６％であってもよく、６．３５〜６．９２であってもよい。
【００２１】
また、本実施形態において、図２Ｂに示すように、第一導電層１１０の第二側辺Ｓ２と第一導電層１１０の底面１１０ｓとの間には、第一交角θ１が形成され、第一導電層１１０の第四側辺Ｓ４と第一導電層１１０の底面１１０ｓとの間には第二交角θ２が形成されており、第一交角θ１は、例えば、第二交角θ２の１．１〜２倍となっている。
【００２２】
一例として、第一交角θ１が１５．００°であり、第二交角θ２が１１．８５°であって、第一交角θ１は第二交角θ２の１．２７倍となっている。他の一例として、第一交角θ１が５７．２６°であり、第二交角θ２が３０．１４°であって、第一交角θ１は第二交角θ２の１．９０倍となっている。
【００２３】
また、本実施形態において、図２Ｂに示すように、第二導電層１２０の第一側辺Ｓ１と第二導電層１２０の底面１２０ｓとの間には、第三交角θ３が形成され、第二導電層１２０の第三側辺Ｓ３と第二導電層１２０の底面１２０ｓとの間には第四交角θ４が形成されており、第三交角θ３は、例えば、第四交角θ４の１．１〜２倍となっている。
【００２４】
一例として、第三交角θ３が６５．９１°であり、第四交角θ４が５９．２４°であって、第三交角θ３は第四交角θ４の１．１１倍となっている。他の一例として、第三交角θ３が４１．１９°であり、第四交角θ４が２３．８７°であって、第三交角θ３は第四交角θ４の１．７３倍となっている。
【００２５】
本実施形態では、フォトマスクの設計によって、導電回路の屈折部の陥凹領域が大きい面積を有するようにして、過度エッチングのため生じる第一導電層１１０／第二導電層１２０の回路破断、損傷を避けることで、抵抗の不整合問題の発生を減少している。
また、第一導電層と第二導電層のエッチング速度が違うので、構造上、第一間隔Ｄ１が第二間隔Ｄ２より大きくなり、第一導電層の屈折部Ｂの陥凹領域Ｒに形成された第一交角θ１が突起領域Ｐに形成された第二交角θ２より大きくなり、第二導電層の屈折部Ｂの陥凹領域Ｒに形成された第三交角θ３が突起領域Ｐに形成された第四交角θ４より大きくなっている。
【００２６】
図４Ａには、本考案の他の一つの実施形態による表示パネルの基板の局部を拡大した概略構造が示されており、図４Ｂには、図４Ａの断面矢視４Ｂ−４Ｂ’による概略断面構造が示されている。図４Ａ、図４Ｂに示された基板１００’は、表示パネル１０の第一基板１００として使える。本実施形態において、前実施形態の構成と同じ構成に対しては、同じ符号を付し、詳しい説明は省略する。
【００２７】
図４Ａ、図４Ｂに示すように、基板１００’は、第一導電層１１０及び第二導電層１２０を備えており、第二導電層１２０は、第一導電層１１０上に設けられている。第一導電層１１０は、第一幅Ｗ１を有し、第二導電層１２０は、第二幅Ｗ２を有している。本実施形態において、第二幅Ｗ２が第一幅Ｗより小さくなっているため、第一導電層１１０に一部は、第二導電層１２０の両側から露出されている。第二導電層１２０の第一側辺Ｓ１と、当該第一側辺Ｓ１の同側における第一導電層１１０の第二側辺Ｓ２との間には、第一間隔Ｄ１が形成され、第二導電層１２０の第一側辺Ｓ１の反対側における第三側辺Ｓ３と、当該第三側辺Ｓ３の同側における第一導電層１１０の第四側辺Ｓ４との間には、第二間隔Ｄ２が形成されており、第一間隔Ｄ１は、第二間隔Ｄ２より大きくなっている。
【００２８】
本実施形態において、第一間隔Ｄ１は、例えば、第二間隔Ｄ２の１．１〜３倍になっている。
【００２９】
一例として、第一導電層１１０の第一幅Ｗ１は２２．４３μｍであり、第二導電層１２０の第二幅Ｗ２は１９．２８μｍであり、第一間隔Ｄ１は１．６７μｍであり、第二間隔Ｄ２は１．４８μｍであって、第一間隔Ｄ１は第二間隔Ｄ２の１．１３倍になっている。
【００３０】
図４Ｂに示すように、基板１００’は、誘電体層１３０をさらに備えている。当該誘電体層１３０は、第一導電層１１０と第二導電層１２０との間に位置している。一例として、第一導電層１１０／誘電体層１３０／第二導電層１２０の複合構造は、薄膜トランジスタ基板上の蓄積キャパシタである。
【００３１】
図４Ａに示すように、第二導電層１２０は、第一側辺Ｓ１において延伸部１２０Ｅを有しており、第一導電層１１０は、第二側辺Ｓ２において延伸部１１０Ｅを有している。すなわち、本実施形態において、第一導電層１１０と第二導電層１２０は、Ｔ字状になっている。
【００３２】
また、第一導電層１１０と第二導電層１２０は、その材質として銅、チタンなどの金属が含まれ、またはそれら金属の複合導電金属層であってもよい。本実施形態において、第一導電層１１０の材質と、第二導電層１２０の材質は同じである。一例として、第一導電層１１０の材質と第二導電層１２０の材質は、いずれも銅である。
【００３３】
図５Ａ及び図５Ｂには、本考案の実施形態による、導電層の位置を合わせて偏位した概略様子が示されている。図５Ａには、第二導電層１２０が、第一導電層１１０の第四側辺Ｓ４に近づいた位置に向かって、位置を合わせて偏位した様子が示され、図５Ｂには、第二導電層１２０が、第一導電層１１０の第二側辺Ｓ２に近づいた位置に向かって、位置を合わせて偏位した様子を示している。
【００３４】
本実施形態において、第一導電層１１０／誘電体層１３０／第二導電層１２０の複合構造は、Ｔ字状に蓄積キャパシタであって、蓄積キャパシタの容量値は、第一導電層１１０と第二導電層１２０の重ね面積と関係あるため、二つの導電層に位置合わせ偏位が発生する際、両者の重ね面積が変更されて、蓄積キャパシタの容量が変更される。重ね面積が小さすぎる場合、蓄積キャパシタの容量が足りなくなって、電流漏れ現象が発生する恐れがある。こうなると、電圧が低下されるともに、表示画面の色の明度が変更されて、さらに、画素の表示効果の減衰（decay）を引き起こす。
【００３５】
図５Ａに示すように、Ｔ字状の蓄積キャパシタにおいて、第二導電層１２０が第一導電層１１０の第四側辺Ｓ４に向かって位置合わせ偏位をしたとき、第一導電層１１０と第二導電層１２０の重ね面積は減少されておらず、反面、重ね部分Ａ１が出現し、重ね面積が増加されて、蓄積キャパシタの容量値が上昇する。一方、図５Ｂに示すように、第二導電層１２０が第一導電層１１０の第二側辺Ｓ２に向かって位置合わせ偏位をしたとき、第一導電層１１０と第二導電層１２０の重ね部分Ａ２及びＡ３がなくなり、重ね面積が減少されて、蓄積キャパシタの容量値が低下する。
【００３６】
そこで、本実施形態によれば、第一導電層１１０及び第二導電層１２０により構成された蓄積キャパシタに対して、構造上、第二導電層１２０が、第一導電層１１０の第四側辺Ｓ４に接近するように、または第一導電層１１０の第二側辺Ｓ２から離れるように設計して、第一側辺Ｓ１（延伸部１２０Ｅ）向かって形成された第一間隔Ｄ１を、第三側辺Ｓ３に向かって形成された第二間隔Ｄ２よりも大きくする。つまり、第一側辺Ｓ１に向かう方向において、位置合わせ偏位のバッファー・スペースを大きく保留することで、製造工程中のフォトマスクの位置合わせ偏位による第一導電層１１０と第二導電層１２０との重ね面積の減少のため蓄積キャパシタの容量値が低下されるということを有効に避けることができる。従って、製造工程中において、第一導電層１１０とび第二導電層１２０の位置合わせ偏位が発生したとしても、前述した設計は、充分な蓄積容量の維持に有利し、充分な電圧差を維持することができて、表示画面の表示効果減衰が発生しなくなり、さらに、表示品質の安定性を高めることができる。
【００３７】
図６は、本考案の実施形態による表示装置１の構成を示すブロック図である。図６に示すように、本実施形態による表示装置１は、前述した表示パネル１０及び駆動回路２０を備えている。駆動回路２０は、表示パネル１０に電気的に接続されて、表示パネル１０を駆動する。また、駆動回路２０は、外部から伝送してくる表示及び制御などの信号を接収し、その外部信号を表示パネル１０における表示駆動回路領域１０２に伝送して、表示領域１０１を駆動する。
【００３８】
以上のように、本考案による表示パネル及びそれを備えた表示装置は、第二導電層を第一導電層上に配置し、第二導電層の一側の側辺と、それと同側に位置する第一導電層の側辺との間隔を、第二導電層の他側の側辺と、それと同側に位置する第一導電層の側辺との間隔より大きく設計し、且つ、第二導電層の一側の側辺と底面との交角、及び第二導電層の一側の側辺と同側に位置する第一導電層の側辺と底面との交角を、第二導電層の他側の側辺と底面との交角、及び第二導電層の他側の側辺と同側に位置する第一導電層の側辺と底面との交角より大きく設計することで、抵抗の不整合問題及び容量値の減少による映像の不安定問題の発生を減少することができる。
【００３９】
本考案は、上述した各実施形態に限定されるものではなく、請求項に示した範囲で種々の変更が可能であり、異なる形態例にそれぞれ開示された技術的手段を適宜組み合わせて得られる実施形態についても、本考案の技術的範囲に含まれる。
【符号の説明】
【００４０】
１        表示装置
１０      表示パネル
１００    第一基板
１０１    表示領域
１０２    表示駆動回路領域
１００’  基板
１１０    第一導電層
１１０Ｅ、１２０Ｅ    延伸部
１１０ｓ、１２０ｓ    底面
１２０    第二導電層
１３０    誘電体層
２０      駆動回路
２００    表示媒体
３００    第二基板
４１０、４１０’、６１０、６１０’導電層
２Ｂ−２Ｂ’、Ｂ−４Ｂ’          断面矢視
Ａ１、Ａ２、Ａ３                  重ね部分
Ｂ、Ｂ１、Ｂ２                    屈折部
Ｄ１      第一間隔
Ｄ２      第二間隔
Ｐ        突起領域
Ｒ、Ｒ１、Ｒ１’、Ｒ２、Ｒ２’    陥凹領域
Ｓ１      第一側辺
Ｓ２      第二側辺
Ｓ３      第三側辺
Ｓ４      第四側辺
Ｗ１      第一幅
Ｗ２      第二幅
θ１      第一交角
θ２      第二交角
θ３      第三交角
θ４      第四交角
【図１Ａ】
0003194342.tif 000003
【図１Ｂ】
0003194342.tif 000004
【図２Ａ】
0003194342.tif 000005
【図２Ｂ】
0003194342.tif 000006
【図３Ａ】
0003194342.tif 000007
【図３Ｂ】
0003194342.tif 000008
【図４Ａ】
0003194342.tif 000009
【図４Ｂ】
0003194342.tif 000010
【図５Ａ】
0003194342.tif 000011
【図５Ｂ】
0003194342.tif 000012
【図６】
0003194342.tif 000013